(57)【要約】      （修正有）【課題】複数のオイルフィルタケースを連続的に切断処理することができ、処理作業の効率化を図ることのできるオイルフィルタケースの切断装置を提供すること。【解決手段】一端をオイルフィルタケースの導入端１７ａとすると共に他端を切断後のオイルフィルタケースの排出端１７ｂとする搬送路１７を挟んで１又は複数のオイルフィルタケースを挟着する第１の挟着部１３及び第２の挟着部１２からなる挟着手段と、オイルフィルタケースのケース部外周を切断する切断刃１４とを有してなり、第１及び第２の挟着部との間でオイルフィルタケースを挟着しつつ、回転させるコンベアにより構成され、切断刃１４は、オイルフィルタケースのケース部外周に当接し、該オイルフィルタケースが回転しながら搬送される過程でそのケース部外周を切断するように、往復動可能に設けられていることを特徴とするオイルフィルタケースの切断装置。【選択図】図１
2007007739.tif 000002
【特許請求の範囲】
【請求項１】
一端をオイルフィルタケースの導入端とすると共に他端を切断後のオイルフィルタケースの排出端とする搬送路を挟んで１又は複数のオイルフィルタケースを挟着する第１の挟着部及び第２の挟着部からなる挟着手段と、オイルフィルタケースのケース部外周を切断する切断刃とを有してなり、
第１の挟着部は、前記搬送路に沿うように長尺に形成され、第２の挟着部との間でオイルフィルタケースを挟着するよう押圧手段によって第２の挟着部に向けて押圧可能に構成され、
第２の挟着部は、第１の挟着部との間でオイルフィルタケースを挟着しつつ、該オイルフィルタケースを第１の挟着部に沿って回転させながら搬送路の排出端に向けて搬送させるコンベアにより構成され、
切断刃は、第１の挟着部と第２の挟着部との間で挟着されるオイルフィルタケースのケース部外周に当接し、該オイルフィルタケースが第２の挟着部によって搬送路を回転しながら搬送される過程でそのケース部外周を切断するように、往復動可能に設けられていることを特徴とするオイルフィルタケースの切断装置。
【請求項２】
前記押圧手段は、前記第１の挟着部を搬送路の導入端側と排出端側において第２の挟着部に向けてそれぞれ独立に押圧可能な２つの押圧機構からなることを特徴とする請求項１記載のオイルフィルタケースの切断装置。
【請求項３】
前記挟着手段は、前記オイルフィルタケースの鍔部を挟着することを特徴とする請求項１又は２記載のオイルフィルタケースの切断装置。
【発明の詳細な説明】
【技術分野】
【０００１】
本発明はオイルフィルタケースの切断装置に関し、詳しくは、複数のオイルフィルタケースを連続的に処理することのできるオイルフィルタケースの切断装置に関する。
【背景技術】
【０００２】
従来、オイルフィルタケースの切断装置には、例えば特許文献１〜５に記載のものが知られている。
【０００３】
これらはいずれも、切断装置の所定の回転台に装着したオイルフィルタケースに切断刃を押し当て、回転台を回転させることでオイルフィルタケースを軸周りに回転させながら切断を行い、切断し終えたら切断済みのオイルフィルタケースを回転台から取り外して次のオイルフィルタケースを新たに装着することにより順次切断作業を行うものである。したがって、オイルフィルタケースの切断は必ず１つずつ回転台に対して取り付け及び取り外しをすることにより行う必要があるため、多数のオイルフィルタケースを連続的に処理することができず、処理作業の効率が悪く、また、取り付け及び取り外しの作業も大変であった。
【特許文献１】特開平９−１２２５２４号公報
【特許文献２】特開２００４−１１５０号公報
【特許文献３】特開２００４−５８１６７号公報
【特許文献４】特開２００４−５８２６４号公報
【特許文献５】特開２００４−６６０２２号公報
【発明の開示】
【発明が解決しようとする課題】
【０００４】
本発明は、複数のオイルフィルタケースを簡易な作業だけで連続的に切断処理することができ、処理作業の効率化を図ることのできるオイルフィルタケースの切断装置を提供することを課題とする。
【０００５】
本発明の他の課題は、以下の記載により明らかとなる。
【課題を解決するための手段】
【０００６】
上記課題は、以下の各発明により解決される。
【０００７】
請求項１記載の発明は、一端をオイルフィルタケースの導入端とすると共に他端を切断後のオイルフィルタケースの排出端とする搬送路を挟んで１又は複数のオイルフィルタケースを挟着する第１の挟着部及び第２の挟着部からなる挟着手段と、オイルフィルタケースのケース部外周を切断する切断刃とを有してなり、第１の挟着部は、前記搬送路に沿うように長尺に形成され、第２の挟着部との間でオイルフィルタケースを挟着するよう押圧手段によって第２の挟着部に向けて押圧可能に構成され、第２の挟着部は、第１の挟着部との間でオイルフィルタケースを挟着しつつ、該オイルフィルタケースを第１の挟着部に沿って回転させながら搬送路の排出端に向けて搬送させるコンベアにより構成され、切断刃は、第１の挟着部と第２の挟着部との間で挟着されるオイルフィルタケースのケース部外周に当接し、該オイルフィルタケースが第２の挟着部によって搬送路を回転しながら搬送される過程でそのケース部外周を切断するように、往復動可能に設けられていることを特徴とするオイルフィルタケースの切断装置である。
【０００８】
請求項２記載の発明は、前記押圧手段は、前記第１の挟着部を搬送路の導入端側と排出端側において第２の挟着部に向けてそれぞれ独立に押圧可能な２つの押圧機構からなることを特徴とする請求項１記載のオイルフィルタケースの切断装置である。
【０００９】
請求項３記載の発明は、前記挟着手段は、前記オイルフィルタケースの鍔部を挟着することを特徴とする請求項１又は２記載のオイルフィルタケースの切断装置である。
【発明の効果】
【００１０】
請求項１記載の発明によれば、複数のオイルフィルタケースを簡易な作業だけで連続的に切断処理することができ、処理作業の効率化を図ることのできるオイルフィルタケースの切断装置を提供することができる。
【００１１】
請求項２記載の発明によれば、オイルフィルタケースの大小に関わらず、複数のオイルフィルタケースの各々を安定して挟着及び搬送することができる。
【００１２】
請求項３記載の発明によれば、オイルフィルタケースの剛性の高い鍔部を挟着するため、オイルフィルタケースが撓んでしまうおそれなく、安定して挟着及び搬送することができる。
【発明を実施するための最良の形態】
【００１３】
以下、本発明の実施の形態について図面を用いて説明する。
【００１４】
図１は本発明に係るオイルフィルタケースの切断装置を示す全体斜視図、図２はチェーンコンベアの部分を拡大して示す斜視図、図３は挟着板を示す平面図、図４はチェーンコンベアと挟着板との間でオイルフィルタケースを挟着した状態を示す側面図である。
【００１５】
図１に示すように、本発明に係るオイルフィルタケースの切断装置１は、作業台１１上にチェーンコンベア１２、挟着板１３、切断刃１４を有している。
【００１６】
チェーンコンベア１２は、作業台１１上に間隔をおいて配設されたスプロケット１２１、１２２に亘って架設されており、作業台１１内に配設されたモーター１２３の駆動力をチェーン１２４を介して一方のスプロケット１２１の回転軸１２５に伝達可能に構成することで、反時計方向に回転するようになっている。
【００１７】
オイルフィルタケースＯの外形形状は、図４に示すように、内部に紙製フィルタ（図示せず）を収容する円筒形状の金属製のケース部ＯＣと鍔部ＯＦとを有している。鍔部ＯＦは、ケース部ＯＣの開口部に設けられる蓋体によってケース部ＯＣの外径よりも大径に形成されている。チェーンコンベア１２には、図２に示すように、このオイルフィルタケースＯの鍔部ＯＦに当接して挟着板１３との間で挟着するためのブロック１２６が、全長に亘って一定間隔で外向きに取り付けられている。各ブロック１２６の表面には、上記鍔部ＯＦを挟着板１３との間で安定的に挟着できるようにするため、略くの字型に凹設された横溝１２７が形成されている。このチェーンコンベア１２は、本発明において第２の挟着部を構成している。
【００１８】
挟着板１３は、スプロケット１２１、１２２の各回転軸間と略同等の長さを有する平板状に形成されており、図３に示すように、その両端付近にそれぞれ形成された長孔１３１に、作業台１１上に突設された２本のガイドピン１３２がゆるく嵌め合っている。各長孔１３１は、挟着板１３の長さ方向と略直交する方向に延びており、これにより挟着板１３は、長孔１３１内のガイドピン１３２に案内されて、作業台１１上においてチェーンコンベア１２に向かう方向と離れる方向とに移動可能に取り付けられている。
【００１９】
この挟着板１３は、本発明においてオイルフィルタケースＯを第２の挟着部であるチェーンコンベア１２との間で挟着する第１の挟着部を構成していると共に、そのオイルフィルタケースＯを支持して搬送を案内する機能を有する。挟着板１３のチェーンコンベア１２と対向する端面には、全長に亘る略くの字型の横溝１３３が形成されており、図４に示すように、該横溝１３３はチェーンコンベア１２の各ブロック１２６に形成された各横溝１２７と同一水平面上で対向している。
【００２０】
作業台１１上には押圧手段を構成する２本のエアーシリンダ１５、１６のそれぞれ一端が取り付けられており、各エアーシリンダ１５、１６のピストン１５１、１６１の先端が、挟着板１３のチェーンコンベア１２とは反対側の両端付近にそれぞれ取り付けられている。一方のエアーシリンダ１５は、図示しない駆動装置によってエアーの供給及び排出が制御され、ピストン１５１を伸長及び縮小の双方向に動作させることができるようになっている。他方のエアーシリンダ１６は、図示しない駆動装置によってエアーが供給されることで、エアーシリンダ１５とは独立してピストン１６１を常に伸長方向に動作させるようになっている。挟着板１３は、これらエアーシリンダ１５、１６の伸長動作によって、チェーンコンベア１２に向かう方向に移動し、一方のエアーシリンダ１５の縮小動作によって、エアーシリンダ１５のピストン１５１が取り付けられている端部側がチェーンコンベア１２から離れる方向に移動するようになっている。
【００２１】
チェーンコンベア１２と挟着板１３との間は、各エアーシリンダ１５、１６が共に伸長した状態でも所定の間隔が設けられており、このチェーンコンベア１２と挟着板１３との間が、オイルフィルタケースＯを搬送方向Ａ（図１、図３参照）に向けて搬送するための搬送路１７となっている。この搬送路１７は、挟着板１３の長さ方向において、エアーシリンダ１５のピストン１５１が取り付けられている側がオイルフィルタケースＯの導入端１７ａとされ、エアーシリンダ１６のピストン１６１が取り付けられている側がオイルフィルタケースＯの排出端１７ｂとされる。
【００２２】
搬送路１７の導入端１７ａには、供給されるオイルフィルタケースＯを検出するための検出スイッチ１７１が設けられている。この検出スイッチ１７１は接触型のスイッチにより構成されているが、非接触型のスイッチであってもよい。
【００２３】
また、作業台１１の排出端１７ｂ側には排出されたオイルフィルタケースＯの切断処理物を収容する収容かご２０が設けられている。
【００２４】
切断刃１４は、挟着板１３の上面に設けられた支持板１８の先端に、刃部がチェーンコンベア１２に向けて突出するように取り付けられている。支持板１８は、挟着板１３よりもやや短尺な平板状に形成されており、その両端付近にそれぞれ形成された長孔１８１に、挟着板１３上に突設された２本のガイドピン１８２がゆるく嵌め合っている。各長孔１８１は、挟着板１３の長さ方向に沿う方向に延びており、これにより支持板１８は、長孔１８１内のガイドピン１８２に案内されて、挟着板１３上において該挟着板１３の長さ方向に沿うように、図３に示す左右方向Ｂに沿って往復移動可能に取り付けられている。
【００２５】
支持板１８のほぼ中央には溝１８３が形成されており、その内部に、支持板１８の上方に配設されたモーター１９の駆動軸１９１に取り付けられた偏芯ベアリング１９２が溝１８３内の対向する２辺に挟まれるように嵌り込んでいる。これにより、モーター１９の駆動軸１９１が回転すると、偏芯ベアリング１９２が溝１８３内で偏芯しながら回転し、その回転運動を支持板１８を長孔１８１とガイドピン１８２によって案内しつつ左右方向Ｂに沿って往復移動させる直線運動に変換する。そして、挟着板１３が左右方向Ｂに沿って往復移動することによって、該挟着板１３の先端に取り付けられた切断刃１４が切断動作するようになっている。
【００２６】
切断刃１４は、搬送路１７のほぼ全長に亘って延びる長尺状の板状鋸刃である。ここに示す切断刃１４は、搬送路１７の導入端１７ａ側と排出端１７ｂ側との２枚に分割された鋸刃１４１、１４２によって構成されており、それぞれ独立して取り外し可能に支持板１８に取り付けられている。これら鋸刃１４１、１４２は金属を切断するための鋸刃として市販されている一般的な鋸刃を使用することができるため切断刃１４を安価に構成することができる。切断刃１４を構成する鋸刃の数は特に限定されず、搬送路１７の長さと各鋸刃の長さに応じて適宜決定すればよい。
【００２７】
次に、図５〜図８を参照してオイルフィルタケースの切断装置１の動作について説明する。
【００２８】
作業開始時、挟着板１３は、エアーシリンダ１６のピストン１６１を伸長させ、エアーシリンダ１５のピストン１５１を縮小させることで、搬送路１７の導入端１７ａ側を広く開放させて待機している（図５参照）。この状態から最初のオイルフィルタケースＯ１が導入端１７ａに供給されると、検出スイッチ１７１によって検出され、モーター１２３が駆動してチェーンコンベア１２が反時計方向に回転する。これとほぼ同時に、エアーシリンダ１５のピストン１５１が伸長し、導入端１７ａに供給されたオイルフィルタケースＯ１を挟着板１３によってチェーンコンベア１２に向けて押し付け、チェーンコンベア１２の横溝１２７と挟着板１３の横溝１３３との間で挟着する（図６参照）。このとき、オイルフィルタケースＯ１において剛性の高い鍔部ＯＦの部分を挟着するため、オイルフィルタケースＯ１が撓んでしまうおそれなく、安定して挟着することができる。
【００２９】
なお、チェーンコンベア１２の挟着板１３と対向する部位の背面側には、ガイド板１２８が長さ方向に沿って設けられており、オイルフィルタケースＯ１を挟着した際のチェーンコンベア１２の過度の撓みを防止し、確実に挟着できるようになっている。
【００３０】
チェーンコンベア１２の横溝１２７と挟着板１３の横溝１３３との間で挟着されたオイルフィルタケースＯ１は、チェーンコンベア１２の回転に伴って、挟着板１３の横溝１３３に沿って時計方向に回転しながら搬送路１７を排出端１７ｂに向けて搬送される。このオイルフィルタケースＯ１の挟着とほぼ同時に、モーター１９を駆動させて支持板１８を往復移動させることで切断刃１４（鋸刃１４１、１４２）を左右方向Ｂに沿って往復動させる。オイルフィルタケースＯ１が回転しながら切断刃１４に差し掛かると、往復動する切断刃１４によってオイルフィルタケースＯ１の外面が切断される。切断動作は、オイルフィルタケースＯ１がチェーンコンベア１２と挟着板１３との間で回転しながら搬送される間、鋸刃１４１から鋸刃１４２に亘って継続して行われることで、オイルフィルタケースＯ１の全周に亘って行われ、その結果、排出端１７ｂから排出されるまでの間に切断線（図４参照）を境にして鍔部ＯＦを有する部分とその上部のケース部ＯＣとに分断され、排出端１７ｂから排出される。排出された切断処理物は収容かご２０内に収容される。
【００３１】
ところで、図７は、最初に供給されたオイルフィルタケースＯ１が搬送路１７のほぼ中央付近に差し掛かった状態を示している。この間もオイルフィルタケースＯ１はチェーンコンベア１２と挟着板１３との間で回転しながら搬送され、切断刃１４によって切断されている最中である。ここで、次のオイルフィルタケースＯ２が導入端１７ａに供給され、検出スイッチ１７１によって検出されると、一方のエアーシリンダ１５のピストン１５１は縮小し、挟着板１３の導入端１７ａ側を広く開放させ、次のオイルフィルタケースＯ２の導入に備える。
【００３２】
このとき、他方のエアーシリンダ１６は常にピストン１６１を伸長させ、挟着板１３を介してオイルフィルタケースＯ１に対して押圧力を作用させているため、挟着板１３はオイルフィルタケースＯ１を挟着している部位を支点として、排出端１７ｂ側がチェーンコンベア１２側に若干近づくように移動する。これにより挟着板１３は、依然としてオイルフィルタケースＯ１の挟着状態を維持することができる。従って、オイルフィルタケースＯ１の搬送及び切断動作はそのまま継続される。
【００３３】
なお、オイルフィルタケースＯ１が図７の状態から更に搬送されるにつれて、搬送路１７の排出端１７ｂ側を押し広げようとする力が挟着板１３に作用し、この挟着板１３がエアーシリンダ１６のピストン１６１を縮小させようとするが、ピストン１６１はエアーの圧縮作用によって縮小方向に若干圧縮可能であるため、オイルフィルタケースＯ１の搬送の障害となることはない。
【００３４】
次のオイルフィルタケースＯ２が導入端１７ａに導入されると、エアーシリンダ１５のピストン１５１が伸長し、挟着板１３はオイルフィルタケースＯ１を挟着している部位を支点として、導入端１７ａ側がチェーンコンベア１２側に近づくように移動する。これにより、挟着板１３はオイルフィルタケースＯ１の挟着及び搬送を維持したまま、オイルフィルタケースＯ２をチェーンコンベア１２に向けて押し付け、同様にチェーンコンベア１２の横溝１２７と挟着板１３の横溝１３３との間で挟着する（図８参照）。以後、オイルフィルケースＯ２も、先に供給されたオイルフィルタケースＯ１と同様にして搬送されながら外周が切断刃１４によって切断され、切断後は排出端１７ｂから排出され、収容かご２０内に収容される。
【００３５】
このようにして次々にオイルフィルケースＯを搬送路１７に供給するだけで、複数のオイルフィルケースＯを連続して搬送させ、その外周に沿って切断刃１４によって切断することができるので、複数のオイルフィルタケースＯを連続的に切断処理することができる。従って、１個ずつ装着して切断作業を行っていた従来の切断装置に比べて大幅に処理能力が向上し、処理作業の効率化を図ることができると共に、オイルフィルタケースＯを搬送路１７に供給するという簡易な作業だけで処理を行うことができ、従来装置に比べて大幅な省力化を図ることができる。
【００３６】
オイルフィルタケースＯを搬送路１７の導入端１７ａに供給する方法は、人手によって行うものに限らず、複数のオイルフィルタケースＯを１個ずつ供給するための供給装置（図示せず）を用いて行うこともできる。供給装置を用いることによってオイルフィルタケースＯの供給から切断までを自動化することができ、更なる省力化を図ることも可能である。
【００３７】
本発明に係るオイルフィルタケースの切断装置１は、処理対象となるオイルフィルタケースＯの大きさ（外径）を何ら選ばない。また、処理対象となるオイルフィルタケースＯは全て同一外径のものに限らず、異なる外径のオイルフィルタケースＯでも同時に連続して処理することができる。
【００３８】
図９は大小異なる外径を有する２つのオイルフィルタケースＯａ、Ｏｂを同時に連続して処理している状態を示している。エアーシリンダ１５、１６は独立して挟着板１３をチェーンコンベア１２に向けて押圧することができるため、オイルフィルタケースＯａ、Ｏｂの外径が異なっていても、チェーンコンベア１２との間で２つのオイルフィルタケースＯａ、Ｏｂを同時に挟着し、その搬送を支持及び案内し、切断刃１４によって連続して切断処理することができる。このとき、スプロケット１２１、１２２間の間隔（チェーンコンベア１２の搬送長）、挟着板１３の長さ及び切断刃１４の長さは、少なくとも処理対象となる最大のオイルフィルタケースＯの外周の長さ以上に設定しておくことで、全てのサイズのオイルフィルタケースＯを連続して処理することが可能である。
【００３９】
以上の説明では、押圧手段としてエアーシリンダ１５、１６を用いたが、特にこれに限定されず、１又は複数のオイルフィルタケースＯを第１の挟着部（挟着板１３）と第２の挟着部（チェーンコンベア１２）との間で挟着するよう、第１の挟着部を第２の挟着部に向けて押圧可能なものであればよい。特に、押圧手段は、圧縮作用を有するエアーを用いたエアーシリンダ１５、１６のように、押圧方向と反対方向の力が作用した際に、その反対方向の力を緩和することができるよう、第１の挟着部を若干反対方向に待避させることができるものが好ましい。これにはエアーの圧縮作用を利用する他にも、押圧手段を反対方向の力を緩和するためのばね等の弾性部材を介して挟着板１３に取り付けるようにしてもよい。
【図面の簡単な説明】
【００４０】
【図１】本発明に係るオイルフィルタケースの切断装置を示す全体斜視図
【図２】チェーンコンベアの部分を拡大して示す斜視図
【図３】挟着板を示す平面図
【図４】チェーンコンベアと挟着板との間でオイルフィルタケースを挟着した状態を示す側面図
【図５】オイルフィルタケースの切断動作を説明する説明図
【図６】オイルフィルタケースの切断動作を説明する説明図
【図７】オイルフィルタケースの切断動作を説明する説明図
【図８】オイルフィルタケースの切断動作を説明する説明図
【図９】外径の異なるオイルフィルタケースの切断動作を説明する説明図
【符号の説明】
【００４１】
１：オイルフィルタケースの切断装置
１１：作業台
１２：チェーンコンベア（第２の挟着手段）
１２１、１２２：スプロケット
１２３：モーター
１２４：チェーン
１２５：回転軸
１２６：ブロック
１２７：横溝
１２８：ガイド板
１３：挟着板（第１の挟着手段）
１３１：長孔
１３２：ガイドピン
１３３：横溝
１４：切断刃
１４１、１４２：鋸刃
１５、１６：エアーシリンダ（押圧手段）
１５１、１６１：ピストン
１７：搬送路
１７ａ：導入端
１７ｂ：排出端
１８：支持板
１８１：長孔
１８２：ガイドピン
１８３：溝
１９：モーター
１９１：駆動軸
１９２：偏芯ベアリング
２０：収容かご
Ｏ、Ｏ１、Ｏ２、Ｏａ、Ｏｂ：オイルフィルタケース
ＯＣ：ケース部
ＯＦ：鍔部
【図１】
2007007739.tif 000003
【図２】
2007007739.tif 000004
【図３】
2007007739.tif 000005
【図４】
2007007739.tif 000006
【図５】
2007007739.tif 000007
【図６】
2007007739.tif 000008
【図７】
2007007739.tif 000009
【図８】
2007007739.tif 000010
【図９】
2007007739.tif 000011